(57)【特許請求の範囲】
【請求項１】
複数併設されている乗りかごと、各乗りかごを制御する号機制御装置と、各ホールに設置された乗り場呼びボタンと、前記号機制御装置を各バンクにグループ分けし管理する群管理制御装置と、前記群管理制御装置を統括的に監視制御する監視装置とからなる群管理エレベータ監視システムにおいて、
前記監視装置が、前記群管理制御装置および前記号機制御装置を介して得た前記乗りかごと前記乗り場呼びボタンからの運行情報を処理し群管理エレベータ全体の状況を把握する運行情報処理手段と、設備機器情報，群管理処理手順，運行情報を格納するデータベースと、設備機器情報および運行情報に基づいてエレベータ全体の健全性を監視する昇降機設備監視手段と、群管理効果評価手段と、昇降機設備監視手段による監視結果および群管理効果評価手段による群管理効果の評価を表示する表示手段とを含み、
前記群管理効果評価手段が、前記各バンクにおいて前記乗りかごの編入台数を種々変えて群管理した場合の運行情報を模擬する手段と、模擬した群管理運行情報と個別運転した場合の運行情報とに基づいて群管理効果を算出する手段と、個別運転した運行情報と模擬した群管理運行情報と群管理効果とを時刻情報に関連付け、前記データベースに格納するとともに、バンクごとに、交通量、群管理編入台数、平均待ち時間実測値、平均待ち時間模擬値、個別運転時の平均待ち時間を群管理制御時の平均待ち時間で除して求められた値を％表示した群管理効果を前記表示手段に時系列的に表示させることを特徴とする群管理エレベータ監視システム。
【請求項２】
請求項１に記載の群管理エレベータ監視システムにおいて、
前記群管理効果評価手段が、複数のバンクについて、群管理効果を時刻情報に関連付け、表示手段に時系列的に重畳表示させる手段を含むことを特徴とする群管理エレベータ監視システム。
【請求項３】
請求項１又は２に記載の群管理エレベータ監視システムにおいて、
前記群管理効果評価手段が、時系列的に表示した曲線の一部を選択操作に応じて拡大表示する手段を含むことを特徴とする群管理エレベータ監視システム。
【発明の詳細な説明】
【技術分野】
【０００１】
本発明は、群管理エレベータ監視システムに係り、特に、群管理による効果の変化を表示する手段に関する。
【背景技術】
【０００２】
エレベータの運行効率は、乗車時間，待ち時間，かご内混雑度などをパラメータとして評価されている。
【０００３】
各エレベータの相対的距離を用いて、各群管理エレベータの運行偏り率を表示する方法が提案されている(例えば、特許文献１参照)。
【０００４】
多様な顧客要求を満足するために、制御パラメータを種々設定し、シミュレータすなわち模擬手段を用いて群管理エレベータを自動評価する技術が提案されている(例えば、特許文献２参照)。
【０００５】
群管理制御の制御ルールを変更した場合に、変更前後のサービス性能を階床別およびゾーン別に評価する技術も提案されている(例えば、特許文献３参照)。
【０００６】
【特許文献１】特開平７−５３１４３号公報(第３頁  図２〜図４)
【特許文献２】特開平９−２０４６６号公報(第３〜４頁  図１〜図４)
【特許文献２】特開平８−３２４９００号公報(第３〜４頁  図１〜図４)
【発明の開示】
【発明が解決しようとする課題】
【０００７】
上記従来技術においては、群管理制御している場合と群管理制御していない場合とを総体的に比較し、または、エレベータリニューアル以前の群管理とリニューアル後の群管理とを総体的に比較し、群管理の効果を定量的に示すことはできる。
【０００８】
しかし、群管理効果と各エレベータの運行情報とを関連付け、ビル管理者またはビルテナントに群管理効果の時系列的変化を示すことができなかった。
【０００９】
本発明の課題は、群管理効果と各エレベータの運行情報とを関連付け、ビル管理者またはビルテナントに群管理効果の時系列的変化を示す手段を備えた群管理エレベータ監視システムを提供することである。
【課題を解決するための手段】
【００１０】
本発明は、上記課題を解決するため、複数併設されている乗りかごと、各乗りかごを制御する号機制御装置と、各ホールに設置された乗り場呼びボタンと、号機制御装置を各バンクにグループ分けし管理する群管理制御装置と、群管理制御装置を統括的に監視制御する監視装置とからなる群管理エレベータ監視システムにおいて、監視装置が、群管理制御装置および号機制御装置を介して得た乗りかごと乗り場呼びボタンからの運行情報を処理し群管理エレベータ全体の状況を把握する運行情報処理手段と、設備機器情報，群管理処理手順，運行情報を格納するデータベースと、設備機器情報および運行情報に基づいてエレベータ全体の健全性を監視する昇降機設備監視手段と、群管理効果評価手段と、昇降機設備監視手段による監視結果および群管理効果評価手段による群管理効果の評価を表示する表示手段とを含み、群管理効果評価手段が、各バンクにおいて乗りかごの編入台数を種々変えて群管理した場合の運行情報を模擬する手段と、模擬した群管理運行情報と個別運転した場合の運行情報とに基づいて群管理効果を算出する手段と、個別運転した運行情報と模擬した群管理運行情報と群管理効果とを時刻情報に関連付け、データベースに格納するとともに、バンクごとに、交通量、群管理編入台数、平均待ち時間実測値、平均待ち時間模擬値、個別運転時の平均待ち時間を群管理制御時の平均待ち時間で除して求められた値を％表示した群管理効果を表示手段に時系列的に表示させる群管理エレベータ監視システムを提案する。
【発明の効果】
【００１１】
本発明によれば、群管理効果と各エレベータの運行情報とを関連付け、群管理効果を定量的かつ時系列的に提示し、ビル管理者またはビルテナントなどの顧客に的確に説明できる。
【００１２】
また、見かけ上、群管理の効果が悪化し不具合が生じた場合には、その原因とその原因により群管理効果がどの程度悪化したかを、原因ごとに区別して、時系列的に説明できる。
【００１３】
例えば、群管理台数が、VIP運転対応のため、３台から２台に減り、その時間内は群管理効果が低下しているというように、原因となる各エレベータの運行状態と群管理効果の変化とを関連付け、時系列的に説明できる。
【発明を実施するための最良の形態】
【００１４】
次に、図１〜図５を参照して、本発明による群管理エレベータ監視システムの実施例を説明する。
【００１５】
図１は、本発明による群管理エレベータ監視システムの系統構成を示すブロック図である。
【００１６】
本実施例の群管理エレベータ監視システムは、ここでは１台しか図示していないが複数併設されている乗りかご１と、各乗りかごを制御する号機制御装置１０，１１，１２，…と、各ホールに設置された乗り場呼びボタン２０，２１，２２と、各バンクＡ，Ｂ，Ｃ，…に号機制御装置１０，１１，１２，…をグループ分けし管理する群管理制御装置３０，３１，３２と、群管理制御装置を統括的に監視制御する監視装置４０とからなる。
【００１７】
監視装置４０は、群管理制御装置３０，３１，３２および号機制御装置１０，１１，１２，…を介して得た乗りかご１と乗り場呼びボタン２０，２１，２２からの運行情報を処理し群管理エレベータ全体の状況を把握する運行情報処理手段５０と、設備機器情報，群管理処理手順，運行情報などを格納するデータベース６０と、設備機器情報および運行情報に基づいてエレベータ全体の健全性を監視する昇降機設備監視手段７０と、本発明による群管理効果評価手段９０と、昇降機設備監視手段７０による監視結果および群管理効果評価手段９０による群管理効果の評価などを表示する表示手段８０とを含んでいる。
【００１８】
乗りかご１の運行情報は、号機制御装置１０，１１，１２，…により集約される。号機制御装置１０，１１，１２，…の情報および乗り場呼びボタン２０，２１，２２，…の情報は、群管理制御装置３０，３１，３２，…に伝送される。群管理制御装置３０，３１，３２は、運行情報処理手段５０に各エレベータの運行情報を伝送する。なお、群管理制御装置３０，３１，３２，…に集約される号機制御装置１０，１１，１２，…の数、すなわち、乗りかご１の数は、同数でなくてもよい。
【００１９】
運行情報処理手段５０は、各エレベータからの運行情報を時刻と関連付けて、データベース６０に格納する。
【００２０】
データベース６０は、エレベータ運行情報や群管理効果などを所定期間保管し、運行情報処理手段５０，昇降機設備監視手段７０，群管理効果評価手段９０からの要求に従い、各種データを出力し、再現できるようにしてある。
【００２１】
群管理効果評価手段９０は、各バンクＡ，Ｂ，Ｃにおいて乗りかご１の編入台数を種々変えて群管理した場合の運行情報を模擬する手段と、模擬した群管理運行情報と個別運転した場合の運行情報とに基づいて群管理効果を算出する手段と、個別運転した運行情報と模擬した群管理運行情報と群管理効果とを時刻情報に関連付け、データベース６０に格納するとともに、表示手段８０に時系列的に表示させる手段とからなる
例えば、３台群管理のエレベータについては、３台を個別運転にした場合，２台を群管理した場合，３台を群管理した場合のエレベータ運行を模擬する。
【００２２】
もし、エレベータ設備をリニューアル予定またはリニューアルした場合は、リニューアル以前の群管理制御手順で制御した場合，リニューアル後の群管理制御手順で制御した場合などについて運行を模擬する。
【００２３】
群管理効果評価手段９０は、模擬結果の運行情報と、運行情報処理手段５０から得られる各号機の運行情報とに基づいて、
[群管理効果]＝
[個別運転時の平均待ち時間]
÷[群管理制御時の平均待ち時間]
を求め、％表示する。
【００２４】
ここでは、平均待ち時間を群管理効果の評価パラメータとしている。ほかに、ビル管理者またはビルテナントなどの顧客の要求に合わせて、運行情報処理手段５０で取得可能でしかも群管理効果評価手段９０で模擬可能な情報に基づいて、各エレベータの消費電力，各エレベータのバランス度，ばらつき度，輸送能力などを評価してもよい。
【００２５】
図２は、本発明による群管理エレベータ監視システム内の群管理効果評価手段における評価手順を示すフローチャートである。
【００２６】
群管理効果評価手段９０は、群管理しない個別運転の場合の実測値と編入台数を種々変えて群管理した場合の模擬値とに基づいて、群管理効果を算出する。
【００２７】
まず、群管理エレベータであるかを判断し（Ｓ１）、個別運転の場合は、そのまま終了する。
【００２８】
群管理エレベータであれば、所定時間ごとに計算処理するためのタイマを動作させる（Ｓ２）。所定時間の長短は、任意に設定できる。
【００２９】
設定した時間が経過したら（Ｓ３）、各エレベータの実際の運行状態を取得する（Ｓ４）。
【００３０】
編入台数を種々変えて群管理した場合について運行を模擬する。なお、エレベータ設備をリニューアル予定またはリニューアルした場合は、リニューアル以前の群管理制御手順で制御した場合，リニューアル後の群管理制御手順で制御した場合などについて運行を模擬する（Ｓ５）。
【００３１】
各エレベータを個別運転した場合の実測値，編入台数を種々変えて群管理した場合の実測値，リニューアル以前の群管理制御手順で制御した場合の実測値，リニューアル後の群管理制御手順で制御した場合の実測値などに基づき、群管理効果を算出する（Ｓ６）。
【００３２】
すべての乗りかごについて評価が完了するまで、上記Ｓ１〜Ｓ６の評価手順を繰り返す(Ｓ７)。
【００３３】
図３は、バンクＡにおける交通量，群管理編入台数，平均待ち時間実測値，平均待ち時間シミュレーション値(模擬値)，群管理効果の時系列的変化を示すタイムチャートの一例である。
【００３４】
切り換えタブのうちでバンク選択タブ２００から、例えばバンクＡのタブを選択すると、図３に示すように、バンクＡにおける交通量，群管理編入台数，平均待ち時間実測値，平均待ち時間シミュレーション値(模擬値)，群管理効果の時系列的変化を示すタイムチャートが表示される。
【００３５】
群管理効果の時系列的変化を示すタイムチャートは、所定周期で書き換えられ、ビル管理者またはビルテナントに対して、エレベータの群管理効果に関する情報をリアルタイムで提供する。
【００３６】
なお、過去に蓄積された交通量および平均待ち時間実測値について、群管理編入台数を仮定して模擬し、平均待ち時間シミュレーション値(模擬値)，群管理効果を求め、群管理編入台数と編入タイミングとを最適化するための実験をすることもできる。
【００３７】
ここに示したエレベータからの交通量，群管理編入台数，平均待ち時間実測値，平均待ち時間シミュレーション値(模擬値)，群管理効果の時系列的変化のうち、平均待ち時間実測値に代えて、例えば各エレベータの平均消費電力の実測値などの運行情報を取り込み、平均消費電力値を模擬し、平均消費電力値(模擬値)，群管理効果の時系列的変化を表示することも可能である。
【００３８】
また、画面上の各バンクへの切り換えタブ２００を選択すると、表示するバンクをＡ，Ｂ，Ｃのいずれかに切り換えられる。
【００３９】
図４は、バンクＡ，Ｂ，Ｃにおける群管理効果の時系列的変化を対比して示すタイムチャートの一例である。
【００４０】
切り換えタブのうち群管理効果タブ２０１を選択すると、図４に示すように、バンクＡ，Ｂ，Ｃにおける群管理効果の時系列的変化を対比して画面に表示できる。ここでは、各バンクＡ，Ｂ，Ｃの曲線の色，線種などを変えて表示すると、より対比しやすくなる。
【００４１】
図５は、図３のタイムチャートから交通量，群管理編入台数，群管理効果のみを選択してそれらの時系列的変化を表示させ、さらに、群管理効果の一部を拡大表示している状況を示す図である。
【００４２】
図５に示すように、表示したい項目のみを選択し画面に表示させることも可能であり、その表示項目を記憶し、次回のシステム再起動後にも、同じ項目のみを画面に表示させるようにしてもよい。
【００４３】
さらに、注目している項目のある時刻の曲線２０２を選択すると、選択部分２０２の拡大曲線が表示され、時系列的変化をより詳細に確認できる。
【図面の簡単な説明】
【００４４】
【図１】本発明による群管理エレベータ監視システムの系統構成を示すブロック図である。
【図２】本発明による群管理エレベータ監視システム内の群管理効果評価手段における評価手順を示すフローチャートである。
【図３】バンクＡにおける交通量，群管理編入台数，平均待ち時間実測値，平均待ち時間シミュレーション値(模擬値)，群管理効果の時系列的変化を示すタイムチャートの一例である。
【図４】バンクＡ，Ｂ，Ｃにおける群管理効果の時系列的変化を対比して示すタイムチャートの一例である。
【図５】図３のタイムチャートから交通量，群管理編入台数，群管理効果のみを選択してそれらの時系列的変化を表示させ、さらに、群管理効果の一部を拡大表示している状況を示す図である。
【符号の説明】
【００４５】
１  乗りかご
１０，１１，１２  号機制御装置
２０，２１，２２  乗り場呼びボタン
３０，３１，３２  群管理制御装置
４０  監視装置
５０  運行情報処理手段
６０  データベース
７０  昇降機設備監視手段
８０  表示手段
９０  群管理効果評価手段
２００，２０１  切り換えタブ
２０２  選択部分
【図１】
0004796417.tif 000002
【図２】
0004796417.tif 000003
【図３】
0004796417.tif 000004
【図４】
0004796417.tif 000005
【図５】
0004796417.tif 000006